(57)【特許請求の範囲】
【請求項１】
略水平方向に回転する回転ドラムと、前記回転ドラムを内包した外槽と、前記外槽を覆うボデーと、前記回転ドラムを回転させるモータと、前記ボデーの上方内部に取り付けられ前記外槽に加熱風を送風するファンとヒータを内蔵した送風加熱装置と、前記外槽の下部と前記送風加熱装置とを連結するダクトと、前記回転ドラム内の温度を検知するセンサとを備え、
前記ダクトは、貫通孔を有し、
前記貫通孔に挿入され嵌合する第１の胴部と、前記第１の胴部から延設され前記ダクトの外壁面に当接する第１のフランジと、前記センサが挿入され端面フランジが前記第１のフランジの外側端面に当接して保持される第１の中央の透孔とを有する弾性体からなる第１のホルダと、
前記第１の中央の透孔と同一方向に形成され前記センサの端面フランジ側に接続されたリード線が貫通して保持される第２の中央の透孔を設けた第２の胴部と、前記第２の胴部から延設され外側端面が前記第１のフランジの外側端面に当接することで前記センサの端面フランジを挟持する第２のフランジとを有する弾性体からなる第２のホルダと、
前記第２のフランジを外側から覆うことで前記第２のホルダと前記第１のホルダを前記ダクトに固定する固定金具とを設けたドラム式洗濯乾燥機。
【発明の詳細な説明】
【技術分野】
【０００１】
本発明は、略水平方向に回転するドラム内で洗濯物を洗濯、すすぎ、脱水、乾燥するドラム式洗濯乾燥機に関するものである。
【背景技術】
【０００２】
従来、この種のドラム式洗濯乾燥機は図８から図１０に示すように構成していた。以下、その構成について説明する。
【０００３】
図に示すように、回転ドラム１は、外周部に多数の通水孔２を全面に設け、外槽３内に回転自在に配設している。回転ドラム１の回転中心にドラム回転軸４の一端を略水平方向に固定し、ドラム回転軸４の他端にドラムプーリー５を固定している。第１のモータ（モータ）６は、リブベルト７によりドラムプーリー５と連結し、ドラム１を回転駆動する。
【０００４】
外槽３は、ボデー８よりばね体９で揺動可能に吊り下げ、防振ダンパー１０により脱水起動時の振動が低減され、定常脱水時の振動がボデー８に伝達されないように防振支持するとともに、脱水時の振動を低減するバランサー１１を設けている。略筒状のパッキング部材１２は、回転ドラム１の前面開口部に対応する外槽３の開口部とボデー８の前面開口部との間を連結するものである。ボデー８の前面開口部に窓１３を開閉自在に設けている。
【０００５】
送風加熱装置１４は、外槽３の上部に位置し、一端をパッキング部材１２に連結して外槽３と連通状態とし、他端を外槽３の下部と連結するダクト１５と接続している。また、送風加熱装置１４は、前方にボス部１６を設けボデー８の取付孔１７に挿入固着し、後方は、取付部１８をボデー８に固定された金具１９にねじで固定している。ファン２０は、送風加熱装置１４の一部を形成するファンケース２１に内外輪共に圧入固着された軸受け部２２の回転軸２３に圧入またはラジアル方向からむしねじ２４で固定されている。プーリー２５は、熱可塑性樹脂にて成形され回転軸２３に圧入またはラジアル方向からねじ２６で固定されている。
【０００６】
ヒータ２７は、回転ドラム１内の洗濯物を加熱し、上下２段に成型した一本のシーズヒータで、外側は上を挟持し、内側は下を挟持する段付き帯状の保持金具２８、２９一対にて、上２個所、下１個所のねじで送風加熱装置１４に固着されている。センサ３０は、回転ドラム１内の温度を検知するもので、ダクト１５の貫通孔３１に嵌合されたゴム製のホルダ３２に挿入されている。
【０００７】
上記構成において動作を説明すると、窓１３を開いて回転ドラム１内に洗濯物を投入し、運転を開始すると、洗濯行程では、回転ドラム１は第１のモータ６によって低速（約５３ｒｐｍ）にて回転駆動され、回転ドラム１内の洗濯物は持ち上げられて水面上に落下される。こうして洗濯行程が進行する。すすぎ行程においても洗濯行程と同様の動作を行う。
【０００８】
脱水行程では、第１のモータ６により回転ドラム１は高速（約１０００ｒｐｍ）で回転駆動され、洗濯物は遠心脱水される。このとき、回転ドラム１内の洗濯物の片寄り、すなわちアンバランスが生じると、回転ドラム１、外槽３などの揺動体は振動（揺動）するが、脱水起動時は防振ダンパー１０により揺動体の振動を減衰し、定常脱水時は防振ダンパー１０の防振機構によりボデー８に伝達されることはない。
【０００９】
また、外槽３の開口部とボデー８の前面開口部との間を略筒状のパッキング部材１２により連結しているが、揺動体の揺動により略筒状のパッキング部材１２がたわむことにより、略筒状のパッキング部材１２を通してボデー８に振動が伝達されることはない。
【００１０】
乾燥行程では、回転ドラム１は第１のモータ６によって低速にて回転駆動され、送風加熱装置１４の第２のモータ（図示せず）により駆動されるファン２０により生じる風をヒータ２７により加熱し、回転ドラム１内に送風して洗濯物を加熱乾燥させる。
【発明の開示】
【発明が解決しようとする課題】
【００１１】
しかしながら、このような従来の構成では、ダクト１５に取り付けられたセンサ３０は、貫通孔３１に嵌合されたゴム製のホルダ３２に挿入されているため、容易に抜ける恐れがある上、リード線の保護がないため、リード線が断線し、異常停止する恐れがあった。
【００１２】
本発明は上記従来の課題を解決するもので、ダクトに取り付けられたセンサのリード線を保護し強固に固定することにより、取付部の信頼性を向上するとともに、リード線の断線を防止することを目的としている。
【課題を解決するための手段】
【００１３】
本発明は上記目的を達成するために、略水平方向に回転し洗濯物を収容する回転ドラムに温風を送風しボデーの上方内部に取り付けられた送風加熱装置と、回転ドラムを内包した外槽に連結するダクトと、回転ドラム内の温度を検知するセンサとを備え、ダクトは、貫通孔を有し、この貫通孔に挿入され嵌合する第１の胴部と、第１の胴部から延設されダクトの外壁面に当接する第１のフランジと、センサが挿入され端面フランジが第１のフランジの外側端面に当接して保持される第１の中央の透孔とを有する弾性体からなる第１のホルダと、第１の中央の透孔と同一方向に形成されセンサの端面フランジ側に接続されたリード線が貫通して保持される第２の中央の透孔を設けた第２の胴部と、第２の胴部から延設され外側端面が第１のフランジの外側端面に当接することでセンサの端面フランジを挟持する第２のフランジとを有する弾性体からなる第２のホルダと、第２のフランジを外側から覆うことで第２のホルダと第１のホルダをダクトに固定する固定金具とを設けたものである。
【００１４】
これにより、ダクトに取り付けられたセンサのリード線の保護を強固にすることができ、取付部の信頼性を向上できるとともに、リード線の断線を防止することができる。
【発明の効果】
【００１５】
本発明における請求項１に記載の発明によれば、ダクトに取り付けたセンサのリード線の保護を強固にすることができ、取付部の信頼性を向上できるとともに、リード線の断線を防止することができる。
【発明を実施するための最良の形態】
【００１６】
請求項１に記載の発明は、略水平方向に回転する回転ドラムと、前記回転ドラムを内包した外槽と、前記外槽を覆うボデーと、前記回転ドラムを回転させるモータと、前記ボデーの上方内部に取り付けられ前記外槽に加熱風を送風するファンとヒータを内蔵した送風加熱装置と、前記外槽の下部と前記送風加熱装置とを連結するダクトと、前記回転ドラム内の温度を検知するセンサとを備え、前記ダクトは、貫通孔を有し、前記貫通孔に挿入され嵌合する第１の胴部と、前記第１の胴部から延設され前記ダクトの外壁面に当接する第１のフランジと、前記センサが挿入され端面フランジが前記第１のフランジの外側端面に当接して保持される第１の中央の透孔とを有する弾性体からなる第１のホルダと、前記第１の中央の透孔と同一方向に形成され前記センサの端面フランジ側に接続されたリード線が貫通して保持される第２の中央の透孔を設けた第２の胴部と、前記第２の胴部から延設され外側端面が前記第１のフランジの外側端面に当接することで前記センサの端面フランジを挟持する第２のフランジとを有する弾性体からなる第２のホルダと、前記第２のフランジを外側から覆うことで前記第２のホルダと前記第１のホルダを前記ダクトに固定する固定金具とを設けたものであり、ダクトに取り付けたセンサのリード線の保護を強固にすることができ、取付部の信頼性を向上できるとともに、リード線の断線を防止することができる。
【００１７】
以下、本発明の実施の形態について、図面を参照しながら説明する。なお、この実施の形態によって本発明が限定されるものではない。
【００１８】
（実施の形態１）
図１は、本発明の実施の形態１におけるドラム式洗濯乾燥機の断面図であり、図２は、本発明の実施の形態１におけるドラム式洗濯乾燥機の斜視図である。なお、従来例と同じ構成のものは同一符号を付して説明を省略する。
【００１９】
図１および図２に示すように、送風加熱装置３３は、前後方向の両端に取付フランジ部３４を延設し、この取付フランジ部３４をボデー８の上部３６に配置し、ねじ３６で固定している。
【００２０】
送風加熱装置３３に設けた回転軸３７は、図３および図４に示すように、軸受け３８、３９をスペーサー４０を挟んで圧入している。この軸受け３８、３９の外周は、送風加熱装置３３の渦室を形成するファンケース４１に一体に成形されたハウジング部４２であり、軸受け３８、３９を着脱可能な遊合状態で挿入保持している。このハウジング部４２には、波ワッシャー等のばね４３を挿入し、軸受け３８からスペーサー４０を介して軸受け３９に付勢した状態で固定する止め輪４４を溝部４５に係止している。
【００２１】
プーリー４６は、寸法精度の高い焼結合金等の耐熱材料で形成した嵌合部４７を一体成形し、Ｄカット等の回り止め４８を有し、回転軸３７の上端Ｄカット部４９に嵌合されナット５０により軸方向に着脱可能に固定している。
【００２２】
ファン５１は、羽根部５２をアルミ板で形成し、中央のボス部５３をアルミダイキャストで形成し、回転軸３７の下端Ｄカット部５４に嵌合し、中央にＤカット等の回り止め５５を設けたステンレス板等の耐熱部材により形成した固定部５６を介してナット５７により軸方向に着脱自在に固定している。
【００２３】
第２のモータ５８は、図５に示すように、ファンケース４１の延設面に固着し、この第２のモータ５８に固着されたモータプーリー５９の回転をベルト６０を介してプーリー４６に伝達する。
【００２４】
ヒータ６１は、図６に示すように、平面形状を略Ｗ状に形成した第１ヒータ６２と第２ヒータ６３のシーズヒータ２本からなり、送風加熱装置３３のファン５１より外槽３側に配置し、第１のヒータ６２、第２のヒータ６３の略中央の各々２個所を挟持する断面略Ｚ状で平面形状が略Ｈ状の一対のばね製を有するステンレス製の保持金具６４、６５により、上側固定１個所、下側固定兼送風加熱装置３３に絶縁スペーサー６６、６７を介して１個所のねじ６８で固着している。
【００２５】
センサ６９は、図７に示すように、外槽３の下部と連結し上端を送風加熱装置３３に連結するダクト７０に設け、貫通孔７１に挿入されたゴム等の弾性体からなる第１のホルダ７２の中央に設けた透孔７３に挿入保持し、センサ６９の端面フランジ７４を第１のホルダ７２と挟持し、かつセンサ６９のリード線７５を覆うゴム等の弾性体からなる第２のホルダ７６を中央に切り欠き部７７を有する固定金具７８によりダクト７０にねじ７９により固定している。
【００２６】
上記構成において動作を説明すると、窓１３を開いて回転ドラム１内に洗濯物を投入し、運転を開始すると、洗濯行程では、回転ドラム１は第１のモータ６によって低速（約５３ｒｐｍ）で回転駆動され、回転ドラム１内の洗濯物は持ち上げられて水面上に落下される。こうして洗濯行程が進行する。すすぎ行程においても洗濯行程と同様の動作を行う。
【００２７】
脱水行程では、回転ドラム１は第１のモータ６により高速（約１０００ｒｐｍ）で回転駆動され、洗濯物は遠心脱水される。このとき、回転ドラム１内の洗濯物の片寄り、すなわちアンバランスが生じると、回転ドラム１、外槽３などの揺動体は振動（揺動）するが、脱水起動時は防振ダンパー１０により揺動体の振動を減衰し、定常脱水時は防振ダンパー１０の防振機構によりボデー８に伝達されることはない。また、外槽３の開口部とボデー８の前面開口部との間を略筒状のパッキング部材１２により連結しているが、揺動体の揺動により略筒状のパッキング部材１２がたわむことにより、略筒状のパッキング部材１２を通してボデー８に振動が伝達されることはない。
【００２８】
乾燥行程では、回転ドラム１は第１のモータ６によって低速にて回転駆動され、送風加熱装置３３の第２のモータ５８により駆動されるファン５１により生じる風をヒータ６２、６３により加熱し、回転ドラム１内に送風して洗濯物を加熱乾燥させる。
【００２９】
ここで、送風加熱装置３３の両端に取付フランジ部３４を延設し、ボデー８の上部３５に配置しているため、ボデー８の上部３５に送風加熱装置３３の取付フランジ部３４を乗せた後固定することができ、組立作業性を向上することができ、また、送風加熱装置３３の両端の取付フランジ部３４でボデー８を固定でき、ボデー８の強度部材として付加でき、コストを低減することができる。
【００３０】
また、送風加熱装置３３の軸受け３８、３９を回転軸３７に圧入し、この軸受け３８、３９を着脱可能に収納するファンケース４１に軸受け３８、３９のスラスト方向に付勢するばね４３を挿入し、軸受け３８、３９に付勢力を与えた状態で固定する止め輪４４を設けているため、軸受け３８、３９をファンケース４１に容易に着脱することができ、組立作業性を向上することができ、軸受け３８、３９に付勢力を与えた状態で固定できているため、軸受け３８、３９内部の微振動による異常音の発生が防止できるばかりでなく、軸受け３８、３９の隙間設定も通常のものでよく、コストを低減することができる。
【００３１】
また、送風加熱装置３３のプーリー４６の嵌合部４７を耐熱材料にて一体成形し、かつ回転方向に回り止め４８を施し、軸方向より着脱自在に固定しているため、プーリー４６を回転軸３７に容易に着脱することができ、作業のばらつきによる偏心や面振れを防止することができ、軸受け３８、３９の異常音発生を防止することができ、また、嵌合部４７が耐熱材料にて形成しているので、嵌合部４７の緩みを防止でき、プーリー４６のみの空回りによる異常停止を防止できる。
【００３２】
また、送風加熱装置３３のファン５１の固定部５６を耐熱材料にて成形し、かつ回転方向に回り止め５５を施し、軸方向より着脱自在に固定しているため、ファン５１を回転軸３７に容易に着脱することができ、作業のばらつきによる偏心や面振れを防止することができ、軸受け３８、３９の異常音発生を防止することができ、また、固定部５６を耐熱材料にて形成しているので、固定部５６の緩みを防止でき、回転軸３７のみの空回りによる異常停止を防止できる。
【００３３】
また、送風加熱装置３３のヒータ６１は、第１と第２のヒータ６２、６３からなり、それぞれのヒータ６２、６３の少なくとも２個所を挟持する断面略Ｚ状で平面形状が略Ｈ状の一対の保持金具６４、６５により固着しているため、ヒータ６２、６３を平面形状にでき、加工性を向上できて、コストを低減することができ、また、保持金具６４、６５の小型化と２個所のねじ６８で固着できるので、作業性を向上することができる。
【００３４】
また、送風加熱装置３３と、回転ドラム１を内包した外槽３に連結するダクト７０に貫通孔７１を設け、この貫通孔７１に嵌合し中央の透孔７３にセンサ６９を挿入する弾性体
からなる第１のホルダ７２と、センサ６９の端面フランジ７４を第１のホルダ７２と挟持しかつリード線７５を覆う第２のホルダ７６と、第２のホルダ７６と第１のホルダ７２をダクト７０に固定する固定金具７８を設けているため、ダクト７０に取り付けたセンサ６９のリード線７５の保護を強固にすることができ、取付部の信頼性を向上できるとともに、リード線７５の断線を防止することができる。
【００３５】
また、第２のモータ５８は、ファンケース４１の延設面に固着しているため、この第２のモータ５８に固着されたモータプーリー５９とファンケース４１のプーリー４６の平行度を保持でき、回転を伝達するベルト６０のずれによる摺動音を防止することができる。
【産業上の利用可能性】
【００３６】
以上のように、本発明にかかるドラム式洗濯機は、ダクトに取り付けられたセンサのリード線を保護し強固に固定することにより、取付部の信頼性を向上するとともに、リード線の断線を防止することができるので、回転するドラム内で洗濯物を洗濯、すすぎ、脱水、乾燥するドラム式洗濯乾燥機に広く適用できるものである。
【図面の簡単な説明】
【００３７】
【図１】本発明の実施の形態１におけるドラム式洗濯乾燥機の断面図
【図２】同ドラム式洗濯乾燥機の一部切欠した斜視図
【図３】同ドラム式洗濯乾燥機の送風加熱装置の断面図
【図４】同ドラム式洗濯乾燥機の送風加熱装置の軸受け部の拡大断面図
【図５】同ドラム式洗濯乾燥機の送風加熱装置の一部切欠した上面図
【図６】同ドラム式洗濯乾燥機の送風加熱装置のヒータと保持金具の拡大断面図
【図７】同ドラム式洗濯乾燥機のセンサ取付部の拡大断面図
【図８】従来のドラム式洗濯乾燥機の断面図
【図９】同ドラム式洗濯乾燥機の送風加熱装置の軸受け部の拡大断面図
【図１０】（ａ）同ドラム式洗濯乾燥機のヒータと保持金具の上面図（ｂ）同ドラム式洗濯乾燥機のヒータと保持金具の断面図
【符号の説明】
【００３８】
１  回転ドラム
３  外槽
６  第１のモータ（モータ）
８  ボデー
３３  送風加熱装置
５１  ファン
６１  ヒータ
６８  センサ
７０  ダクト
７１  貫通孔
７２  第１のホルダ
７３  透孔
７４  端面フランジ
７５  リード線
７６  第２のホルダ
７８  固定金具
【図１】
0004155293.tif 000002
【図２】
0004155293.tif 000003
【図３】
0004155293.tif 000004
【図４】
0004155293.tif 000005
【図５】
0004155293.tif 000006
【図６】
0004155293.tif 000007
【図７】
0004155293.tif 000008
【図８】
0004155293.tif 000009
【図９】
0004155293.tif 000010
【図１０】
0004155293.tif 000011